(57)【要約】【課題】小型車としての機動性を持ちながら必要に応じて荷台を拡張し、より広い多目的空間として利用できる荷台スペースを、簡単な構造の装置で極めて容易に確保することが可能な小型トラック載置用多目的スペース装置を提供する。【解決手段】小型トラックＴの荷台８に、水平に展翅可能にされた折畳み式屋根部１と、水平に展開可能にされた折畳み式床パネル３と、折畳み式屋根部１と折畳み式床パネルとを連結する複数の柱部材５とを設ける。折り畳まれた複数のパネル部材３を展開し、荷台９の延長床面として車室外に延出して形成する。折畳み式屋根部１は荷台８の後方に突出するようにスライド可能にされた折畳み式床パネル３は固定床パネル３ａと可動床パネル３ｂとから構成し、この可動床パネル３ｂも荷台８の後方に突出するようにスライド可能にする。また、荷台８の前方にドア付きのボックス型スペース９を付設する。【選択図】  図７
0003119798.tif 000002
【実用新案登録請求の範囲】
【請求項１】
小型トラックの荷台に載置する拡張多目的スペースであって、水平に展翅可能にされた折畳み式屋根部材と、水平に展開可能にされた折畳み式床パネルと、前記折畳み式屋根パネルと折畳み式床パネルとを連結する複数の柱部材とからなり、折り畳まれた複数のパネル部材を展開し、荷台の延長床面として車室外に形成することを特徴とする小型トラック載置用多目的スペース装置。
【請求項２】
折畳み式屋根パネルと折畳み式床パネルが荷台の後方に突出するようにスライド可能にされていることを特徴とする請求項１記載の小型トラック載置用多目的スペース装置。
【請求項３】
ボックス型スペースを付設したことを特徴とする請求項１又は請求項２記載の小型トラック載置用多目的スペース装置。
【考案の詳細な説明】
【技術分野】
【０００１】
本考案は、軽トラックなど小型車両の荷台に載置して使用され、農作業現場、工事現場、建設現場、イベント会場等の屋外で、荷台の床面を拡張して、休憩スペースや事務スペース、商品展示スペース等の多目的空間として利用することができる小型トラック載置用多目的スペース装置に関するものである。
【背景技術】
【０００２】
従来、軽トラック等の荷台は、その面積が限られており、荷物を積む以外にはほとんど利用されることはなかった。例えば、トラックの荷台部分にハウジング等を搭載した車両としては、代表的なものにレジャー用のキャンピングカーがある。他にも特許文献１に所載されているような折り畳み型のハウジングを搭載したものや特許文献２に所載されている仮設トイレを設けたものが提案されている。
【０００３】
【特許文献１】特開平８−１８９２０８号公報
【特許文献２】特許第３５６２８１１号公報
【考案の開示】
【考案が解決しようとする課題】
【０００４】
しかしながら、軽トラック等は車両の小型性能が要求されることもあって、狭い路地も走行しなければならない必要性を考えると、荷台自体を大きくすることはできない。したがって本考案は、小型車としての機動性を持ちながら必要に応じて荷台を拡張し、より広い多目的空間として利用できる荷台スペースを、簡単な構造の装置で極めて容易に確保することが可能な小型トラック載置用多目的スペース装置を提供することを目的する。
【課題を解決するための手段】
【０００５】
このため本考案の小型トラック載置用多目的スペース装置は、小型トラックの荷台に載置する拡張多目的スペースであって、水平に展翅可能にされた折畳み式屋根部材と、水平に展開可能にされた折畳み式床パネルと、前記折畳み式屋根パネルと折畳み式床パネルとを連結する複数の柱部材とからなり、折り畳まれた複数のパネル部材を展開し、荷台の延長床面として車室外に形成することを第１の特徴とする。また、折畳み式屋根パネルと折畳み式床パネルが荷台の後方に突出するようにスライド可能にされていることを第２の特徴とする。さらに、ボックス型スペースを付設したことを第３の特徴とする。
【考案の効果】
【０００６】
本考案は、田畑や工事現場の狭い小路でも小型車両の機動性を持ちながら進行でき、目的地についてから荷台を拡張して多目的に利用できる。例えば、農作業現場、工事現場、建設現場での作業者の休憩や食事スペース、イベント会場等での商品展示スペースとして利用できる。また、ボックススペースの中にトイレを確保することもでき、さらに、災害現場等、応急復旧時等の医療スペースとして、大型車両では侵入困難な条件下においても極めて有効に活用できる。
【考案を実施するための最良の形態】
【０００７】
以下、本考案の実施の形態を図面に示す実施例に基づいて説明する。
図１は本考案に係る装置全体を小型トラックの荷台に搭載した状態を示す斜視図、図２は荷台の三方ゲートを開放した状態を示す斜視図、図３はスライド式の可動屋根部材と可動床パネルを手動にて引き出した状態を示す斜視図、図４は左右の折畳式固定床パネルを展開した状態を示す斜視図、図５はスライド拡張部である折畳式可動床パネルを展開した状態を示す斜視図、図６は前方中央部の折畳式固定床パネルを倒伏（垂直から水平へ）した状態を示す斜視図、図７は屋根部材及び折畳式床パネルを固定した状態を示す斜視図、図８は本考案に係る多目的スペース装置の使用状態の一例を示す斜視図である。
【実施例】
【０００８】
以下、図面に基づき本考案の一実施例を詳細に説明する。なお、本考案は以下に説明する実施例に限定されるものではなく、装置の拡張構成、利用形態が適用できれば、いかなる目的にでも使用できることは言うまでもない。
【０００９】
図１は本考案の小型トラック載置用多目的スペース装置Ｓ（以下、単に多目的スペース装置Ｓという）を折畳んだ状態で、小型トラックＴの荷台８に搭載した状態を示す斜視図である。多目的スペース装置Ｓは、大略、折畳式屋根部１、屋根固定金具２、折畳式床パネル３と、これを補強する床パネル補強金具４とから構成されている。
すなわち、水平に展翅可能にされた折畳み式屋根部１と、水平に展開可能にされた折畳み式床パネル３と、折畳み式屋根部１と折畳み式床パネル３とを連結する複数の柱部材５とからなり、折り畳まれた複数のパネル部材３を展開し、荷台８の延長床面として車室外に延出して形成されている。折畳み式屋根部１は荷台８の後方に突出するようにスライド可能にされている。折畳み式床パネル３は固定床パネル３ａと可動床パネル３ｂとからなり、この可動床パネル３ｂが荷台８の後方に突出するように梁兼用ガイドレール９上をスライドできるようにされている。また、本実施例では荷台８の前方にドア付きのボックス型スペース１０が付設されており、このボックス１０内に飾り棚を配したり、トイレ設けることもできる。
【００１０】
次に、図２乃至図７に基づいて多目的スペース装置Ｓの展開操作を説明する。
図２に示すように、まず、小型トラックＴの荷台８の三方ゲート８ａを開放する。次いで、図３に示すように、折畳式屋根部１と折畳式床パネル３の可動床パネル３ｂとを後方に引き出す。次いで、図４に示すように、折畳み式床パネル（固定部）３ａを倒伏（垂直から水平状態へ）する。次いで、後方にスライドした折畳式可動床パネル３ｂを倒伏（垂直から水平状態へ）する。次いで、図６に示すように、前方中央部の折畳式固定床パネル３ｃを倒伏（垂直から水平状態へ）する。以上、これらの操作により、荷台８上には荷台の面積よりも拡張した床スペースが展開される。最後に図７に示すように、折畳式屋根部１を屋根固定金具２でもって展翅すると共に、折畳み式固定床パネル３ａと折畳式可動床パネル３ｂの各角隅部と柱部材５とを吊り金具６で連結し、さらに、各床パネル３ａ、３ｂに折畳み可能に内装されたアジャスト機能を備えた支持束７でもって地面上に支持する。図８はボックス型スペース１０内に飾り棚を設け、花卉の商品展示スペースとして利用した例を示す。
【００１１】
尚、多目的スペース装置Ｓの展開作業は、少ない労力で、容易且つ迅速に行うことができる。このため、夜間や降雨時等の状況下であっても支障なく短時間に荷台を拡張することが可能である。また、この多目的スペース装置Ｓ全体の積み下ろしも可能であり、小型トラックの使用状況の必要に応じて容易に積み下ろしすることができる。
【図面の簡単な説明】
【００１２】
【図１】本考案に係る装置全体を小型トラックの荷台に搭載した状態を示す斜視図である。
【図２】荷台の三方ゲートを開放した状態を示す斜視図である。
【図３】スライド式の可動屋根部材と可動床パネルを手動にて引き出した状態を示す斜視図である。
【図４】左右の折畳式固定床パネルを展開した状態を示す斜視図である。
【図５】スライド拡張部である折畳式可動床パネルを展開した状態を示す斜視図である。
【図６】前方中央部の折畳式固定床パネルを倒伏（垂直から水平へ）した状態を示す斜視図である。
【図７】屋根部材及び折畳式床パネルを固定した状態を示す斜視図である。
【図８】本考案に係る多目的スペース装置の使用状態の一例を示す斜視図である。
【符号の説明】
【００１３】
１    折畳式屋根部
２    屋根固定金具
３    折畳式床パネル
３ａ  固定床パネル
３ｂ  可動床パネル
３ｃ  前方中央部の折畳式固定床パネル
４    床パネル補強金具
５    柱部材
６    吊り金具
７    支持束
８    荷台
８ａ  荷台の三方ゲート
９    梁兼用ガイドレール
１０  ボックス型スペース
Ｓ    多目的スペース装置
Ｔ    小型トラック
【図１】
0003119798.tif 000003
【図２】
0003119798.tif 000004
【図３】
0003119798.tif 000005
【図４】
0003119798.tif 000006
【図５】
0003119798.tif 000007
【図６】
0003119798.tif 000008
【図７】
0003119798.tif 000009
【図８】
0003119798.tif 000010